(57)【要約】【課題】主たる事項が記載された冊子本体部と、補助的事項が記載された補助部とが独立して頁をめくることができるように同一の表紙に綴じられて成り、特殊な紙を用いずとも補助部が垂れ下がって表紙からはみ出ることがなく、取扱が容易な冊子を提供する。【解決手段】見開き状態の冊子本体部２に形成された背１０をほぼ中心とする矩形状の切欠部６に、切欠部６とほぼ相似形状を有する補助部３が、冊子本体部２から微小間隔Ｄをあけて切欠部内６に配設されて、冊子本体部２および補助部３が同一の表紙４に綴じられている。したがって、冊子本体部２と補助部３との間に微小間隔Ｄが設けられているため、頁をめくるときに冊子本体部２と補助部３とがひっかかることがなくそれぞれ独立にめくることができる。また、補助部３が切欠部６内に配設されているため、補助部３が自重で垂れ下がって表紙４からはみ出ることがなく、容易に取扱うことができる。【選択図】図１
2008105250.tif 000002
【特許請求の範囲】
【請求項１】
複数頁から成る冊子において、
主たる事項が記載された冊子本体部と、
見開き状態の前記冊子本体部の天小口および地小口のいずれか一方に、背をほぼ中心とする矩形状に形成された切欠部と、
補助的事項が記載され、前記切欠部とほぼ相似形状を有し前記冊子本体部から微小間隔をあけて前記切欠部内に配設された補助部とを備え、
前記冊子本体部および前記補助部が同一の表紙に綴じられていることを特徴とする冊子。
【請求項２】
前記冊子本体部の地小口から天小口までの長さをＴＬ１、綴じ目から該綴じ目に対向する小口までの長さをＷＬ１、前記補助部の地小口から天小口までの長さをＴＬ２、綴じ目から該綴じ目に対向する小口までの長さをＷＬ２としたときに以下の条件を満たすことを特徴とする請求項１に記載の冊子。
条件：ＴＬ２  ≦  １／２・ＴＬ１、かつ、ＷＬ２  ≦  １／２・ＷＬ１
【請求項３】
前記冊子本体部には機器の構成や使用方法が記載され、
前記補助部には目次や前記機器に関する専門用語の解説が記載され、
前記冊子本体部および前記補助部により前記機器の取扱説明書が構成されていることを特徴とする請求項１または２に記載の冊子。
【請求項４】
請求項１ないし３のいずれか１項に記載の冊子の製造方法において、
主たる事項および補助的事項が記載された表紙を除く複数頁を成す複数の紙面を丁合する丁合工程と、
前記丁合工程により丁合された前記各紙面の背を中綴じする第１中綴じ工程と、
前記第１中綴じ工程により中綴じされた前記各紙面の背以外の小口部分を三方断裁する三方断裁工程と、
前記各紙面を、天小口および地小口のいずれか一方から背にかけて所定の微小幅をもってＬ字状に切断し、前記冊子本体部と該冊子本体部から前記微小幅に相当する前記微小間隔離れた前記補助部とに分離する分離工程と、
前記分離工程により分離された前記冊子本体部および前記補助部それぞれの背を同一の表紙に中綴じする第２中綴じ工程と
を備えることを特徴とする冊子の製造方法。
【請求項５】
請求項１ないし３のいずれか１項に記載の冊子の製造方法において、
主たる事項および補助的事項が記載された表紙を除く複数頁を成す複数の紙面を丁合する丁合工程と、
前記丁合工程により丁合された前記各紙面の周縁の４辺全てを断裁する四方断裁工程と、
前記各紙面を、天小口および地小口のいずれか一方から背にかけて所定の微小幅をもってＬ字状に切断し、前記冊子本体部と該冊子本体部から前記微小幅に相当する前記微小間隔離れた前記補助部とに分離する分離工程と、
前記分離工程により分離された前記冊子本体部および前記補助部それぞれの背を同一の表紙に無線綴じする無線綴じ工程と
を備えることを特徴とする冊子の製造方法。
【発明の詳細な説明】
【技術分野】
【０００１】
本発明は、表紙に複数枚の紙面を綴じて成る冊子に関する。
【背景技術】
【０００２】
従来、一の綴じ部材に主要解説冊子部と補助解説冊子部とが隣り合う状態で略平行に綴じられた電子機器用取扱説明書等の冊子が知られている。このような冊子によれば、主要解説冊子部と補助解説冊子部を各々独立してめくることができるため、主要解説冊子部の所定の頁を開いたままで、必要に応じて補助解説冊子部をめくって任意の頁を参照することができる（例えば特許文献１参照）。
【０００３】
したがって、例えば主要解説冊子部に電子機器等の使用方法を記載し、補助解説冊子部に当該機器に関する専門用語の解説を記載して、上記した冊子を当該機器の取扱説明書として使用すれば次のような効果を奏する。すなわち、主要解説冊子部の所定の頁に記載された機器の操作方法を参照している際に、見慣れない語句があれば、主要解説冊子部の当該頁を開いたまま補助解説冊子部の頁をめくることで、見慣れない語句の解説が記載された頁を参照することができる。その結果、複数頁を往復しながら取扱説明書を読まなければならないという煩雑さがなくなり、能率よく機器の操作方法を学習することができる。
【０００４】
【特許文献１】特開２００３−２７６３６０号公報（要約書、段落［０００８］−［００１１］、図１）
【発明の開示】
【発明が解決しようとする課題】
【０００５】
ところで、上記した従来の冊子では、主要解説冊子部と補助解説冊子部とが一の綴じ部材に隣り合う状態で略平行に綴じられ、主要解説冊子部と補助解説冊子部の見開き方向の長さが同じになるように構成されているため、工場で製造された冊子を包装袋に入れたり、あるいはユーザーが冊子を持ち運んだりするときに、当該冊子を立てると、紙の自重で細長い補助解説冊子部の先端側が垂れ下がって表紙からはみ出て破損するおそれがある。したがって、補助解説冊子部が垂れ下がらないように注意して冊子を取扱わなければならず煩わしいという問題があった。また、補助解説冊子部が垂れ下がることを防止するために、紙厚が厚い紙、あるいは曲がりにくい紙質の紙といった特殊な紙を採用しなければならなかった。
【０００６】
本発明は、主たる事項が記載された冊子本体部と、補助的事項が記載された補助部とが独立して頁をめくることができるように同一の表紙に綴じられて成り、特殊な紙を用いずとも補助部が垂れ下がって表紙からはみ出ることがなく、取扱が容易な冊子を提供することを目的とする。
【課題を解決するための手段】
【０００７】
上記した目的を達成するために、本発明の複数頁から成る冊子は、主たる事項が記載された冊子本体部と、見開き状態の前記冊子本体部の天小口および地小口のいずれか一方に、背をほぼ中心とする矩形状に形成された切欠部と、補助的事項が記載され、前記切欠部とほぼ相似形状を有し前記冊子本体部から微小間隔をあけて前記切欠部内に配設された補助部とを備え、前記冊子本体部および前記補助部が同一の表紙に綴じられていることを特徴としている（請求項１）。
【０００８】
さらに、前記冊子本体部の地小口から天小口までの長さをＴＬ１、綴じ目から該綴じ目に対向する小口までの長さをＷＬ１、前記補助部の地小口から天小口までの長さをＴＬ２、綴じ目から該綴じ目に対向する小口までの長さをＷＬ２としたときに以下の条件を満たすことを特徴としている。ここで、条件とは、ＴＬ２  ≦  １／２・ＴＬ１、かつ、ＷＬ２  ≦  １／２・ＷＬ１を満たす構成である（請求項２）。
【０００９】
つぎに、前記冊子本体部には機器の構成や使用方法が記載され、前記補助部には目次や前記機器に関する専門用語の解説が記載され、前記冊子本体部および前記補助部により前記機器の取扱説明書が構成されていることを特徴としている（請求項３）。
【００１０】
また、本発明の請求項１ないし３のいずれか１項に記載の冊子の製造方法は、主たる事項および補助的事項が記載された表紙を除く複数頁を成す複数の紙面を丁合する丁合工程と、前記丁合工程により丁合された前記各紙面の背を中綴じする第１中綴じ工程と、前記第１中綴じ工程により中綴じされた前記各紙面の背以外の小口部分を三方断裁する三方断裁工程と、前記各紙面を、天小口および地小口のいずれか一方から背にかけて所定の微小幅をもってＬ字状に切断し、前記冊子本体部と該冊子本体部から前記微小幅に相当する前記微小間隔離れた前記補助部とに分離する分離工程と、前記分離工程により分離された前記冊子本体部および前記補助部それぞれの背を同一の表紙に中綴じする第２中綴じ工程と
を備えることを特徴としている（請求項４）。
【００１１】
そして、請求項１ないし３のいずれか１項に記載の冊子の製造方法には、主たる事項および補助的事項が記載された表紙を除く複数頁を成す複数の紙面を丁合する丁合工程と、前記丁合工程により丁合された前記各紙面の周縁の４辺全てを断裁する四方断裁工程と、前記各紙面を、天小口および地小口のいずれか一方から背にかけて所定の微小幅をもってＬ字状に切断し、前記冊子本体部と該冊子本体部から前記微小幅に相当する前記微小間隔離れた前記補助部とに分離する分離工程と、前記分離工程により分離された前記冊子本体部および前記補助部それぞれの背を同一の表紙に無線綴じする無線綴じ工程とを備えることを特徴としている（請求項５）。
【発明の効果】
【００１２】
まず、請求項１に係る冊子によれば、見開き状態の冊子本体部に形成された背をほぼ中心とする矩形状の切欠部に、当該切欠部とほぼ相似形状を有する補助部が、冊子本体部から微小間隔をあけて当該切欠部内に配設されて、冊子本体部および補助部が同一の表紙に綴じられている。したがって、冊子本体部および補助部の頁をそれぞれ独立にめくることができ、しかも、冊子本体部と補助部との間に微小間隔が設けられているため、頁をめくるときに冊子本体部と補助部とがひっかかることがなく、頁をめくり易い。また、補助部が冊子本体部に矩形状に形成された切欠部内に配設されているため、特殊な紙を用いずとも補助部が自重で垂れ下がって表紙からはみ出ることがないので、容易に取扱うことができる。
【００１３】
また、請求項２に係る冊子によれば、補助部の大きさを、上下方向の長さだけでなく左右方向の長さも、補助部への記載量に応じてそれぞれ全長の１／２以下の範囲で自在に調節することができる。したがって、頁あたりの記載量の多少によらず、頁めくりの扱いが容易であり、また、体裁がよい。
【００１４】
そして、例えば、補助部を冊子本体部の記載の補助的な用語集として使用する場合、必要な項目を見つけ易くするため、１頁の記載を１〜数項目に止めることが好ましいが、この場合、頁あたりの記載量はそんなに多くない。したがって、従来のように左右方向が用紙幅で断裁されて用紙幅の長さに固定されるような場合には上下方向の長さが極端に短くなって用語を検索しにくく、又、読みづらくなるが、本発明の場合は、そのようなこともない。
【００１５】
さらに、請求項３に係る冊子によれば、冊子本体部に機器の構成や使用方法を記載し、補助部に目次や機器に関する専門用語の解説を記載することで、冊子本体部および補助部を機器の取扱説明書として使用することができ、冊子本体部および補助部をそれぞれ独立してめくることで、能率よく機器の操作方法を学習することができる。また、補助部を目次、メモ用紙として利用することで、より能率よく当該取扱説明書を利用することができる。
【００１６】
そして、請求項４および５に係る冊子の製造方法によれば、中綴じ製本および無線綴じ製本による請求項１ないし３のいずれか１項に記載の冊子を容易に製造することができる。
【発明を実施するための最良の形態】
【００１７】
つぎに、本発明をより詳細に説明するため、その実施形態について、図１にしたがって詳述する。なお、本実施形態では、本発明に係る冊子の具体的な製品として、電子機器の取扱説明書を例に挙げて以下の説明を続けるが、本発明を限定するものではない。
【００１８】
図１は取扱説明書の外観形状を示す斜視図である。図１に示すように、本実施形態の取扱説明書１は、主たる事項である電子機器の構成や使用方法が記載された複数頁から成る冊子本体部２と、補助的事項である目次や電子機器に関する専門用語の解説が記載された複数頁から成る補助部３とが同一の表紙４にホッチキス針５によって、それぞれ独立して頁めくりができるように中綴じされて構成されている。
【００１９】
また、見開き状態の冊子本体部２の地小口２２には、背１０をほぼ中心とする矩形状の切欠部６が形成されている。そして、補助部３はこの切欠部６とほぼ相似形状を有し、冊子本体部２から微小間隔Ｄをあけて切欠部６内に配設されている。
【００２０】
また、冊子本体部２の地小口２２から天小口２１までの長さをＴＬ１、背１０（本発明の「綴じ目」に相当）から背１０に対向する小口２３までの長さをＷＬ１、補助部３の地小口３２から天小口３１までの長さをＴＬ２、背１０から背１０に対向する小口３３までの長さをＷＬ２としたときに、
ＴＬ２  ≦  １／２・ＴＬ１、かつ、ＷＬ２  ≦  １／２・ＷＬ１
をいう条件を満たすように構成されている。
【００２１】
なお、本実施形態では、冊子本体部２と補助部３との頁数を同じとしているが、異なる頁数としてもよい。また、補助部３に余白頁を設けることで、当該余白頁をメモ帳等に利用することができ、利便性がさらに向上する。また、切欠部６は冊子本体部２の天小口２１側に形成してもよい。
【００２２】
＜製造方法１＞
次に、上記した取扱説明書１を製造する方法の一例について図２を参照して説明する。図２は図１の取扱説明書１を中綴じ製法で製造する工程の一例を示す図である。
【００２３】
まず、主たる事項である電子機器の構成や使用方法と、補助的事項である目次や電子機器に関する専門用語の解説が印刷された（余白部分や余白頁があるものを含む）複数の紙面１００が折り機で折丁された後、丁合工程が実行されて表紙を除く複数頁を成す複数の紙面１００が丁合される。
【００２４】
次に、図２（ａ）に示すように、丁合された各紙面１００の背１１０をホッチキス針５，５１で中綴じする第１中綴じ工程が実行される。このとき、同図（ａ）に示すように、補助的事項が印刷されている点線１３０で囲まれた領域を綴じる位置にホッチキス針５１を打ち込むことで、後で説明する分離工程において紙面１００を冊子本体部２と補助部３とに分離する際に補助部３を構成する紙面がバラバラにならないようにすることができる。
【００２５】
そして、図２（ｂ）に示すように、ホッチキス針５，５１で中綴じされた各紙面１００の背１１０以外の小口部分（同図中、破線７で示された部分）を略逆コ字状の断裁刃で三方断裁する三方断裁工程が実行される。
【００２６】
続いて、図２（ｃ）に示すように、三方断裁された各紙面１００の補助的事項が印刷された点線１３０で囲まれた領域を、地小口１０２から背１１０にかけて、例えば約２〜３ｍｍの微小幅ＤをもってＬ字状に切断し、冊子本体部２と冊子本体部２から微小間隔Ｄ離れた補助部３とに分離する分離工程が実行される。なお、この分離工程では、略Ｌ字状の断裁刃を約２〜３ｍｍの幅で２枚組み合わせた断裁刃を用いることで、各紙面１００を微小幅Ｄをもって冊子本体部２と補助部３とに分離することができる。
【００２７】
最後に、図２（ｄ）に示すように、分離工程により分離された冊子本体部２および補助部３を同一の表紙４に重ね合わせ、同図中に○で囲まれた部分にホッチキス針５を打ち込むことで中綴じする第２中綴じ工程が実行されて取扱説明書１が完成する。なお、補助的事項を印刷する点線１３０で囲まれた領域を地小口１０２に対向する天小口側にしてもよいことは言うまでもない。
【００２８】
＜製造方法２＞
また、上記した取扱説明書１は中綴じ製法で製造したが、その他の製造方法として無線綴じ製法で取扱説明書を製造することもできる。無線綴じ製法で取扱説明書を製造する方法の一例について図３を参照して説明する。図３は取扱説明書を無線綴じ製法で製造する工程の一例を示す図である。
【００２９】
まず、主たる事項である電子機器の構成や使用方法と、補助的事項である目次や電子機器に関する専門用語の解説あるいは余白部分が印刷された複数の紙面が折り機で折丁された後、丁合工程が実行されて表紙を除く複数頁を成す複数の紙面２００が丁合される。
【００３０】
そして、図３（ａ）に示すように、丁合工程により丁合された各紙面２００の周縁の４辺全て（同図中、破線２３０で示された部分）を略ロ字状の断裁刃で断裁する四方断裁工程が実行される。続いて、同図（ｂ）に示すように、四方断裁された各紙面２００の補助的事項が印刷された領域を、地小口２２０から背２１０にかけて、例えば約２〜３ｍｍの微小幅ＤをもってＬ字状に切断し、冊子本体部２０２と冊子本体部２０２から微小間隔Ｄ離れた補助部２０３とに分離する分離工程が実行される。なお、この分離工程では、略Ｌ字状の断裁刃を約２〜３ｍｍの幅で２枚組み合わせた断裁刃を用いることで、各紙面２００を微小幅Ｄをもって冊子本体部２０２と補助部２０３とに分離することができる。
【００３１】
最後に、図３（ｃ）に示すように、分離工程により分離された冊子本体部２０２の背２１２および補助部２０３の背２１３に糊を塗布した後、それぞれ同一の表紙２０４に重ね合わせて無線綴じする無線綴じ工程が実行されて取扱説明書２０１が完成する。なお、補助的事項を印刷する領域を地小口２２０に対向する天小口側にしてもよいことは言うまでもない。
【００３２】
このように、本実施形態では、見開き状態の冊子本体部２に形成された背１０をほぼ中心とする矩形状の切欠部６に、切欠部６とほぼ相似形状を有する補助部３が、冊子本体部２から微小間隔Ｄをあけて切欠部６内に配設されて、冊子本体部２および補助部３が同一の表紙４に綴じられている。したがって、冊子本体部２および補助部３の頁をそれぞれ独立にめくることができ、しかも、冊子本体部２と補助部３との間に微小間隔Ｄが設けられているため、頁をめくるときに冊子本体部２と補助部３とがひっかかることがなく、頁をめくり易い。また、補助部３が冊子本体部２に矩形状に形成された切欠部内６に配設されているため、特殊な紙を用いずとも補助部３が自重で垂れ下がって表紙４からはみ出ることがなく、容易に取扱うことができる。
【００３３】
また、上記した実施形態では、補助部３の大きさを、上下方向の長さだけでなく左右方向の長さも、補助部３への記載量に応じてそれぞれ全長の１／２以下の範囲で自在に調節することができるので、頁あたりの記載量の多少によらず、頁めくりの扱いが容易であり、また、体裁がよい。
【００３４】
また、上記した実施形態では、例えば、補助部３を冊子本体部２の記載の補助的な用語集として使用する場合、必要な項目を見つけ易くするため、１頁の記載を１〜数項目に止めることが好ましいが、この場合、頁あたりの記載量はそんなに多くない。したがって、従来のように左右方向が用紙幅で断裁されて用紙幅の長さに固定されるような場合には上下方向の長さが極端に短くなって用語を検索しにくく、又、読みづらくなるが、本実施形態の場合は、そのようなこともない。
【００３５】
また、上記した実施形態では、冊子本体部２に電子機器の構成や使用方法を記載し、補助部３に目次や電子機器に関する専門用語の解説を記載し、冊子本体部２および補助部３をそれぞれ独立してめくることのできる電子機器の取扱説明書１として使用することで、能率よく電子機器の操作方法を学習することができる。また、補助部３の余白をメモ用紙として利用することで、より能率よく取扱説明書１を利用して、電子機器の操作方法を学習することができる。
【００３６】
また、上記した「製造方法１」、「製造方法２」により、中綴じ製本および無線綴じ製本によって、取扱説明書１，２０１を容易に製造することができる。
【００３７】
また、本発明は上述した実施形態に限定されるものではなく、その趣旨を逸脱しない限りにおいて上述したもの以外に種々の変更を行うことが可能であり、例えば、上記した取扱説明書１を電子機器以外の種々の製品の取扱説明書１として利用することができる。
【００３８】
また、上記した実施形態では、取扱説明書１を例に挙げて説明したが、本発明の「冊子」としてはこれに限られず、種々の雑誌、地図、情報誌、教科書等として利用してもよいことは言うまでもない。
【図面の簡単な説明】
【００３９】
【図１】本発明に係る冊子の一実施形態たる取扱説明書の外観形状を示す斜視図である。
【図２】図１の取扱説明書を中綴じ製法で製造する工程の一例を示す図である。
【図３】取扱説明書を無線綴じ製法で製造する工程の一例を示す図である。
【符号の説明】
【００４０】
１，２０１  取扱説明書
２，２０２  冊子本体部
２１，３１  天小口
２２，３２  地小口
２３  小口
３，２０３  補助部
４  表紙
６  切欠部
１０，１１０、２１０，２１２，２１３  背
【図１】
2008105250.tif 000003
【図２】
2008105250.tif 000004
【図３】
2008105250.tif 000005